(57)【要約】【課題】  二酸化炭素吸収能力が良好で、微粉化を最小限に抑えることができ、麻酔器のキャニスターや肺機能検査機の二酸化炭素吸収剤容器等の底部の網穴やパンチング穴からこぼれ落ちることのない二酸化炭素吸収剤、及びその製造方法を提供する。【解決手段】  本発明に係る二酸化炭素吸収剤は、横断面の概形が３弁花型である柱状に造粒されている。好ましくは横断面における３弁花型の各弁の直径がそれぞれ１．５〜２．５ｍｍであり、横断面の長径が２．５〜４．５ｍｍであり、造粒物の長さが３．０〜１２ｍｍである。これにより、大きな表面積により高い二酸化炭素吸収性能を確保しつつ、割れにくいので破片や微粉の発生を抑制でき、かつキャニスター等の底部の網孔やパンチング孔からこぼれ落ちるのを防止することができる。また、水酸化カルシウムを主成分としても、キャニスター壁面への接触点が少ない等のため、キャニスター等に汚れが生じにくい。【選択図】  図１
2010155209.tif 000002
【特許請求の範囲】
【請求項１】
横断面の概形が３弁花型である柱状に造粒されたことを特徴とする二酸化炭素吸収剤。
【請求項２】
水酸化カルシウムを主成分とする請求項１に記載の二酸化炭素吸収剤。
【請求項３】
横断面における３弁花型の各弁の直径がそれぞれ１．５〜２．５ｍｍであり、横断面の長径が２．５〜４．５ｍｍであり、造粒物の長さが３．０〜１２ｍｍである請求項１または２に記載の二酸化炭素吸収剤。
【請求項４】
水酸化カルシウム５８．０〜６８．０重量部と水４２．０〜３２．０重量部とを含む混合物を３弁花型の開孔を有する樹脂製ダイスを使用して押出成形する押出成形過程と、
押出材を水分が５ｗｔ％以下になるまで乾燥する乾燥過程と、
乾燥された押出材を破断する破断過程と、
破断された造粒物を篩い分けする篩分過程と、
篩い分けされた造粒物に、塩化カルシウム及び塩化マグネシウムからなる群から選ばれた1つまたはこれらの混合物と、塩化ナトリウム、リン酸水素２ナトリウム及びトリポリリン酸ナトリウムからなる群から選ばれた１つとを造粒物の表面を覆うように付着させる添着過程とを含むことを特徴とする二酸化炭素吸収剤の製造方法。
【発明の詳細な説明】
【技術分野】
【０００１】
本発明は、主に吸入麻酔用呼気回路内で使用する二酸化炭素吸収剤に関する。
【背景技術】
【０００２】
医療における全身麻酔での手術の際、麻酔薬を気化させ患者に吸入し、手術後速やかに覚醒させる方法が採用されている。この際、麻酔呼気回路内で二酸化炭素（炭酸ガス）を吸収除去する二酸化炭素吸収剤として、ソーダライムが採用されてきた。ソーダライムは水酸化ナトリウム及び／または水酸化カリウムを含んだ水酸化カルシウムと水とから構成されている。ＪＩＳ  Ｋ８６０３「ソーダ石灰」によると、ソーダ石灰は水酸化カルシウムと水酸化ナトリウムまたは水酸化カリウムの混合物で、乾燥減量が１２〜１９ｗｔ％、二酸化炭素吸収量が２０％以上、２５％以上、３０％以上の三品種が用意されている。
【０００３】
ソーダ石灰は、以下のような段階的な反応により、二酸化炭素吸収を速やかに行っているものと解釈されている。
１段    ＣＯ２＋Ｈ２Ｏ→Ｈ２ＣＯ３
２段   Ｈ２ＣＯ３＋２Ｎａ（ａｎｄ／ｏｒＫ）ＯＨ→Ｎａ（ａｎｄ／ｏｒＫ）２ＣＯ３＋２Ｈ２Ｏ
３段   Ｎａ（ａｎｄ／ｏｒＫ）２ＣＯ３＋Ｃａ（ＯＨ）２→２Ｎａ（ａｎｄ／ｏｒＫ）ＯＨ＋ＣａＣＯ３
即ち、強アルカリ水酸化物と十分な水の存在により、固体状でありながら二酸化炭素吸収能力に優れていると推定されいる（麻酔１４巻１０号９２頁、昭和４０．１０）。
【０００４】
しかし近年、麻酔薬としてセボフルランが多用されるようになり、ソーダライムと反応して有害なペンタフルオロイソプロペニルフルオロメチルエーテル（CF２=C(CF３)OCH２F）（以下「コンパウンドＡ」という）が産生されることが問題となってきた。セボフルランはソーダライムにより分解され、コンパウンドＡが生成される。コンパウンドＡのLC50（ラット）は、1時間吸入で♂1,090ppm、♀1,050ppm、3時間吸入で♂420ppm、♀440ppmであり、また腎毒性を示す。ソーダライムによるセボフルランの分解は、ソーダライムの構成成分であるアルカリ化合物（例えば、水酸化カリウム、水酸化ナトリウム、水酸化バリウムなど）に起因し、特に水酸化カリウム及び水酸化ナトリウムといった強アルカリ水酸化物による影響が大きい。更に、水酸化カリウム及び水酸化ナトリウムを含むバラライムや乾燥したソーダライムとセボフルランを使用したヒトへの吸入麻酔時に高温発熱や発火した症例も報告されている。揮発性吸入麻酔薬には他にイソフルラン、エンフルラン、デスフルラン、ハロタンなどが使用されており、セボフルランも含めこれらの麻酔薬は、乾燥したソーダライムにより分解されて一酸化炭素を生じる。一酸化炭素はヘモグロビンとの結合力が酸素の210倍高く、これを吸収すると中毒を起こし、遂には血液の酸素運搬能力を失わせ細胞の呼吸を止め、死に至らせる。以上のことからコンパウンドＡ及び一酸化炭素のような有毒化合物の生成や、二酸化炭素吸収剤の高温発熱や発火の危険性を回避すべく、水酸化カリウムや水酸化ナトリウム等の強アルカリ水酸化物を減じた、または使用していない二酸化炭素吸収剤が開発されている（臨床麻酔Ｖｏｌ．２８／Ｎｏ．１２  ２００４  ｐ１９６５）。
【０００５】
具体的には次のような発明ないし提案がある。すなわち、アルカリ金属の水酸化物を実質的に含まない水酸化カルシウムと水とを有効成分とした酸性ガス吸収剤（特許第３４３３４９３号）、実質的に水酸化ナトリウム及び／または水酸化カリウムを含まない１種の薬学的に許容しうる水酸化物、及び適合性湿潤剤の麻酔に使用するための炭酸ガス吸収剤（特表２００１−５０９０４２）、水酸化カルシウムと水とメタ珪酸アルミン酸マグネシウムとを含んでなる酸性ガス吸収剤（特開２００３−８８５７４）、水酸化ナトリウム、水酸化カリウム及び水酸化バリウムを実質的に含まない、薬学的に受容可能な水酸化物と塩化カルシウム及び／または塩化マグネシウムと硬化剤と皮膜形成結合材とを含む二酸化炭素吸収調合剤（特表２００４−５０６５０８）、薬学的に許容されるＩＩ族金属の水酸化物を主成分とし、シリカを副成分とする水和化混合物を含む、Ｉ属金属イオンを実質的に含まない化学的吸収剤（特表２００４−５１１３１２）、水酸化カルシウムと水と塩化カルシウムと塩化ナトリウムを使用してなる炭酸ガス吸収剤（特開２００６−１４２２８０）、水酸化カルシウムと水と塩化マグネシウム、及びセピオライトからなる炭酸ガス吸収剤（特開２００８−１１０２７８）等である。
【０００６】
しかし、これらの二酸化炭素吸収剤は、ソーダライムと比較して、二酸化炭素吸収能力が十分とはいえない。これらの二酸化炭素吸収剤の二酸化炭素吸収能力を向上させるためには造粒物の表面積を増大させる手段が考えられるが、細粒化すると吸入麻酔回路に使用されるキャニスター底面の網目やパンチ穴から造粒物がこぼれ落ちることがあり、複雑な形状の造粒物とすると製造・輸送の過程で破損してキャニスターから落ちるほか、微粉が発生し好ましくない。さらに、これらの二酸化炭素吸収剤は水酸化ナトリウムや水酸化カリウム、水酸化バリウムのような強アルカリ水酸化物含まないためか、微量溶解する炭酸カルシウムが析出し、キャニスターの内面を汚す傾向がある。この汚れは酸洗いしないと落とせず、放置するとスケールが溜まり、二酸化炭素吸収能力喪失の目安となるエチルバイオレット等による呈色の変化が見づらくなるという不具合を生じる。この事情は麻酔用以外の用途、例えば肺機能検査機の二酸化炭素吸収剤容器等についても同様である。
【０００７】
【特許文献１】特許第３４３３４９３号特許公報
【特許文献２】特表２００１−５０９０４２公表公報
【特許文献３】特開２００３−８８５７４公開公報
【特許文献４】特表２００４−５０６５０８公表公報
【特許文献５】特表２００４−５１１３１２公表公報
【特許文献６】特開２００６−１４２２８０公開公報
【特許文献７】特開２００８−１１０２７８公開公報
【非特許文献１】麻酔１４巻１０号９２頁、昭和４０．１０
【非特許文献２】臨床麻酔Ｖｏｌ．２８／Ｎｏ．１２  ２００４  ｐ１９６５
【発明の開示】
【発明が解決しようとする課題】
【０００８】
よって本発明の主要な目的は、二酸化炭素吸収能力が良好で、微粉化を最小限に抑えることができ、キャニスター等の二酸化炭素吸収剤容器の底部の網穴やパンチング穴からこぼれ落ちることのない二酸化炭素吸収剤、及びその製造方法を提供することにある。
【０００９】
本発明の他の目的は、水酸化カルシウムを主成分としてもキャニスター等の二酸化炭素吸収剤容器の汚れを最小限に抑えることのできる二酸化炭素吸収剤、及びその製造方法を提供にすることにある。本発明のさらに他の目的は、造粒物の成形性や表面平滑性に優れた二酸化炭素吸収剤の製造方法を提供することにある。
【課題を解決するための手段】
【００１０】
上記課題を解決するために本発明は、横断面の概形が３弁花型である柱状に造粒されて二酸化炭素吸収剤を構成した。
【００１１】
現在実用化されている麻酔器のキャニスターや肺機能検査機の二酸化炭素吸収剤容器の底部には、通気のために網目やパンチ穴が設けられている。例えば直径３ｍｍを越えるパンチ穴が多数持つものがあり、網目やパンチ穴からこぼれ抜け落ちないように単に断面の外径を太くすると表面積が少なくなり、二酸化炭素吸収持続時間が短くなる。本発明者らは、横断面の概形が３弁花型である柱状に二酸化炭素吸収剤を造粒することで、既存の押出成形機で製造でき、キャニスターからこぼれ抜け落ちることがなく、かつ二酸化炭素吸収持続時間の良好な二酸化炭素吸収剤を得た。単に表面積と断面長径を大きくするだけならば２弁でも４弁でも目的は達せられるが、２弁や４弁の偶数では製造中に縦割れが生じやすく、キャニスターの底網やパンチ穴からこぼれ落ちる細い粒状品が混じるなど細粒化するので好ましくない。奇数でも５弁以上とすると表面積を大きくするのが困難になる。なお「３弁花型」とは、３つの円それぞれの中心点が相互に同距離隔てられ、かつそれぞれの線が交わるように重ね合わせた外周の形状をいう。
【００１２】
また本発明に係る二酸化炭素吸収剤は、水酸化カルシウムを主成分としていても、横断面を３弁花型の形状にすることでキャニスター壁面への接触点が少なくなるため、キャニスターが汚れにくい。本発明に係る二酸化炭素吸収剤は、横断面における３弁花型の各弁の直径がそれぞれ１．５〜２．５ｍｍであり、横断面の長径が２．５〜４．５ｍｍであり、造粒物の長さが３．０〜１２ｍｍであることが好ましい。
【００１３】
また本発明は、水酸化カルシウム５８．０〜６８．０重量部と水４２．０〜３２．０重量部とを含む混合物を３弁花型の開孔を有する樹脂製ダイスを使用して押出成形する押出成形過程と、押出材を水分が５ｗｔ％以下になるまで乾燥する乾燥過程と、乾燥された押出材を破断する破断過程と、破断された造粒物を篩い分けする篩分過程と、篩い分けされた造粒物に、塩化カルシウム及び塩化マグネシウムからなる群から選ばれた1つまたはこれらの混合物と、塩化ナトリウム、リン酸水素２ナトリウム及びトリポリリン酸ナトリウムからなる群から選ばれた１つとを造粒物の表面を覆うように付着させる添着過程とを含んで二酸化炭素吸収剤の製造方法を構成した。
【００１４】
本発明に係る二酸化炭素吸収剤の製造方法においては、まず水酸化カルシウムと水とを混合する。これにはメチルセルロースのような適当な成形助剤を加えることもできる。その他の成形助剤としては例えばポリビニルアルコールやポリビニルピロリドン、澱粉、ＣＭＣなどの水溶性高分子化合物が挙げられる。混合物は３弁花型の開孔を有する樹脂製ダイスを使用して押出成形される。押出成形機は二軸スクリュー押出機等であり、既存のもので足りる。また使用するダイスは通常金属製であるが、樹脂製が好ましいことが判明した。樹脂製ダイスを使用すると、成形性や表面平滑性等で、より良好な造粒物が得られる。ダイスの材料となる樹脂としてはナイロンやポリアセタール等通称エンジニアリングプラスチック、その他耐熱性プラスチックやＦＲＰやフェノール樹脂等の硬化型樹脂が挙げられる。
【００１５】
押出材は水分が５ｗｔ％以下になるまで乾燥され、乾燥後に破断され、破断された造粒物は、微粉を取り除き、適当な大きさのものを選別するために篩い分けされる。例えば標準篩目開き３．３ｍｍで篩下をカットする。次に、造粒物に塩化カルシウム及び塩化マグネシウムからなる群から選ばれた1つまたはこれらの混合物と、塩化ナトリウム、リン酸水素２ナトリウム及びトリポリリン酸ナトリウムからなる群から選ばれた１つとをを、造粒物の表面を覆うように付着させ、添着を行う。添着は、例えば上記の添着物を溶解した水溶液を、回転ドラム内の造粒物に噴霧することにより行うことができる。但しナトリウム化合物としてリン酸水素２ナトリウムまたはトリポリリン酸ナトリウムを使用する場合には、塩化物とリン酸化合物とが反応を起こしやすいので、塩化カルシウム及び塩化マグネシウムとは別工程で添着を行うことが好ましい。また、エチルバイオレット等呈色剤は、初めから水酸化カルシウムと水と混練し、または別途噴霧添加してもよい。
【発明の効果】
【００１６】
本発明に係る二酸化炭素吸収剤によると、横断面の概形が３弁花型である柱状に造粒したので、表面積が大きいために二酸化炭素吸収能力が良好であり、かつ割れが発生しにくいため微粉化を最小限に抑えることができ、破片がキャニスター底部の網穴やパンチング穴からこぼれ落ちることがない。また本発明に係る二酸化炭素吸収剤によると、水酸化カルシウムを主成分としてもキャニスター汚れを最小限に抑えることができる。さらに本発明に係る二酸化炭素吸収剤の製造方法によると、造粒物の成形性や表面平滑性に優れ、従って歩留まりが良好で微粉化や割れの少ない二酸化炭素吸収剤を製造することができる。
【発明を実施するための最良の形態】
【００１７】
以下、本発明に係る二酸化炭素吸収剤、及びその製造方法の実施の形態について説明する。
【００１８】
純度９６％以上の水酸化カルシウム（消石灰ＪＩＳ  Ｒ９００１−２００６特号相当）をドラムミキサー等ブレンダーで、水酸化カルシウムに対し０．１ｗｔ％のメチルセルロースを溶かした水と混合する。成形助剤としてメチルセルロースの他には、水溶性高分子化合物、例えばポリビニルアルコールやポリビニルピロリドン、澱粉、ＣＭＣなどでも代用できる。混合比は水酸化カルシウム５８．０〜６８．０重量部に対し水４２．０〜３２．０重量部が好ましい。その後、二軸スクリュー押出機等で押出成形し、押出材を得る。使用するダイスは樹脂製であることが好ましい。適当な樹脂としてはナイロンやポリアセタール等通称エンジニアリングプラスチック、その他耐熱性プラスチックやＦＲＰやフェノール樹脂等の硬化型樹脂が挙げられる。樹脂製ダイスの孔は３弁花型であり、３弁花型の各弁の直径はそれぞれ１．５〜２．５ｍｍ、長径が２．５〜４．５ｍｍである。よって押出材の横断面の概形は３弁花型であって、３弁花型の各弁の直径もそれぞれ１．５〜２．５ｍｍ、横断面の長径も２．５〜４．５ｍｍになる。
【００１９】
押出材は、水分が５ｗｔ％以下になるまで乾燥され、破断機等で破断され、例えば３．３ｍｍの篩で細粒や微粉がカットされることにより、横断面の概形が３弁花型の柱状であり、長さが３．０〜１２ｍｍの水酸化カルシウム造粒品が得られる。次に回転ドラム等で水酸化カルシウム造粒品に塩化ナトリウムもしくはリン酸水素２ナトリウム、又はトリポリリン酸ナトリウムと塩化カルシウム又は塩化マグネシウムを水溶液で、またこれとは別にエチルバイオレット等呈色剤水溶液を水分が１２〜１８ｗｔ％になるように噴霧添加する。エチルバイオレット等呈色剤は押出成形前に初めから水酸化カルシウムに配合しておいても良い。
【００２０】
二酸化炭素吸収能力の測定にはアコマＦＯ−２０Ｓ（アコマ医科工業）麻酔器及びキャニスターを使用し、二酸化炭素吸収剤７９０ｇ、人工呼吸器はアコマＰＲＯ−ＶｍｋＩＩ（アコマ医科工業）で３００ｍｌ−１２ｂｐｍ、酸素５００ｍｌ／ｍｉｎ、二酸化炭素２２０ｍｌ／ｍｉｎの呼吸条件で人工肺に取り付けた二酸化炭素モニターＯＧＬ−２８００（日本光電）から信号を取り出して検電機ＰＶ５０００（三和電気計器）でデジタル出力を読みとり、呼気内の二酸化炭素濃度が１０ｍｍＨｇになるまでの時間を比較した。その結果、横断面の概形が３弁花型の柱状である造粒物の二酸化炭素吸収能力が良好であり、持続時間も長いことが実験的に確認された。
【００２１】
実用化されている麻酔器のキャニスターとしては、ドレーゲル社やＧＥオメダ社、アコマ医科工業、五十嵐医科工業他多数のメーカーがそれぞれ複数のモデルを販売しているが、いずれもキャニスター底部に通気のために網目やパンチ穴を設けている。これらの中には直径３ｍｍを越えるパンチ穴を多数有するものがある。またチェスト社の肺機能検査機の二酸化炭素吸収剤容器底部には直径３ｍｍの孔を有する。本発明に係る二酸化炭素吸収剤は、横断面における３弁花型の各弁の直径がそれぞれ１．５〜２．５ｍｍであり、横断面の長径が２．５〜４．５ｍｍであり、造粒物の長さが３．０〜１２ｍｍとし、３．３ｍｍ篩でカットしたので、キャニスターなどの二酸化炭素吸収剤容器からこぼれ抜け落ちることがない。図１〜３はそれぞれ、本発明に係る二酸化炭素吸収剤の一つの実施の形態を示す斜視図、横断面図（ハッチングは省略して示す）及び正面図であり、横断面図における３弁花型の各弁の直径ｄは１．５〜２．５ｍｍ、横断面の長径Ｌｄが２．５〜４．５ｍｍ、正面図における造粒物の高さｈは３．０〜１２ｍｍである。
【実施例】
【００２２】
以下、本発明に係る二酸化炭素吸収剤、及びその製造方法の実施例について説明する。以下の実施例についての説明は本発明をより深く理解するためのものであって、本発明は以下の実施例に何ら限定されるものではない。
【００２３】
〔実施例１〕
水酸化カルシウム（矢橋工業株式会社製、Ｃａ（ＯＨ）２純度９７．５％）２０００ｇと水１０００ｇと１ｗｔ％メチルセルロース水溶液を２００ｇとを配合し（配合水分３７．５ｗｔ％、ＭＣ０．１ｗｔ％）均一に湿潤するように混合したものを２軸前型押出機（不二パウダル（株）製、ペレッターダブル押出機）に３弁花型、花弁直径２ｍｍの開孔を備えたＰＯＭ製ダイスをセットし押し出し、１４０℃の熱風乾燥機で乾燥した。水分は０．５ｗｔ％であった。押出材をフラッシュミルで破断し、標準篩目開き３．３ｍｍで篩下をカットし、横断面の概形である３弁花型の長径が４ｍｍで、長さが４〜１２ｍｍの水酸化カルシウム造粒物を得た。
【００２４】
回転容器に水酸化カルシウム造粒物を１０００ｇ採取し、塩化カルシウム２０ｇと塩化ナトリウム２０ｇを１００ｇの６０℃温水に溶解し、１２０ｒｐｍで回転させながら噴霧機で添着し、さらにエチルバイオレット０．１ｇを水７０ｇに溶解し、同様に噴霧添着し、２４時間常温で養生した。これにより水酸化カルシウム８２ｗｔ％、塩化カルシウム１．７ｗｔ％、塩化ナトリウム１．７ｗｔ％、エチルバイオレット０．０１ｗｔ％、水１４．５ｗｔ％を成分とする二酸化炭素吸収剤の実施例１を得て、以降の試験に使用した。
【００２５】
〔試験法〕
＊二酸化炭素吸収試験
アコマＦＯ−２０Ｓ（アコマ医科工業）麻酔器及びキャニスターを使用し、二酸化炭素吸収剤７９０ｇ、人工呼吸器はアコマＰＲＯ−ＶｍｋＩＩ（アコマ医科工業）で３００ｍｌ−１２ｂｐｍ、酸素５００ｍｌ／ｍｉｎ、二酸化炭素２２０ｍｌ／ｍｉｎの条件で人工肺に取り付けた二酸化炭素モニターＯＬＧ−２８００（日本光電）から信号を取り出し検電機ＰＣ５０００（三和電気計器）でデジタル出力を読みとり、二酸化炭素濃度が１０ｍｍＨｇになる時間を比較した。
＊キャニスター汚れ、付着評価
二酸化炭素吸収試験後のキャニスターを観察した。それぞれの測定結果は表１に記載した。キャニスター底部開孔からの落ちこぼれは、使用したキャニスターの網目開きが１ｍｍ以下であったため、別途３ｍｍ篩で落ちこぼれを測定し、落ちこぼれのないことを確認した。
実施例１の試験測定結果はそれぞれ良好であった。
【００２６】
〔実施例２〕
水酸化カルシウム（矢橋工業株式会社製、Ｃａ（ＯＨ）２純度９７．５％）２０００ｇと水１０００ｇと１ｗｔ％メチルセルロース水溶液を２００ｇとエチルバイオレット０．２ｇとを配合し（配合水分３７．５ｗｔ％、ＭＣ０．１ｗｔ％）均一に湿潤するように混合したものを２軸前型押出機（不二パウダル（株）製、ペレッターダブル押出機）に３弁花型、花弁直径２ｍｍの開孔を備えたＰＯＭ製ダイスをセットし押し出し、１２０℃の熱風乾燥機で乾燥した。水分は１．３ｗｔ％であった。この造粒品をフラッシュミルで破断し、標準篩目開き３．３ｍｍで篩下をカットし、横断面の概形の３弁花型の長径が４ｍｍで長さが４〜１２ｍｍの水酸化カルシウム造粒物を得た。回転容器に造粒物を１０００ｇ採取し、塩化カルシウム２０ｇを７０ｇの６０℃温水に溶解し、１２０ｒｐｍで回転させながら噴霧機で添着し、さらにリン酸水素２ナトリウム２５ｇを水１００ｇに溶解し、同様に噴霧添着し、２４時間常温で養生した。これにより水酸化カルシウム８１ｗｔ％、塩化カルシウム１．７ｗｔ％、リン酸水素２ナトリウム２．１ｗｔ％、エチルバイオレット０．０２ｗｔ％、水１５．２ｗｔ％の二酸化炭素吸収剤を得た。試験結果は表１の通り全て良好であった。
【００２７】
〔実施例３〕
実施例１の製造における中間物である水酸化カルシウム造粒物５００ｇを採取し、水、塩化マグネシウム９．５ｇと塩化ナトリウム１０．５ｇを６０ｇの６０℃温水に溶解し、１２０ｒｐｍで回転させながら噴霧機で添着し、さらにエチルバイオレット０．０５ｇを水４０ｇに溶解し、同様に噴霧添着し、２４時間常温で養生した。これにより水酸化カルシウム８０ｗｔ％、塩化マグネシウム１．７ｗｔ％、塩化ナトリウム１．５ｔ％、エチルバイオレット０．０１ｗｔ％、水１６．５ｗｔ％の二酸化炭素吸収剤を得た。
【００２８】
〔比較例〕
比較例として、孔の直径３ｍｍの円ダイスを使用した以外は実施例１と同一の条件で、二酸化炭素吸収剤を製造した。
【００２９】
表１
2010155209.tif 000003
【００３０】
○、△、×の基準
キャニスター汚れ評価：二酸化炭素吸収試験を終了後、キャニスターを麻酔器から取り外し、二酸化炭素吸収剤を容器に一気に移した。その時にキャニスター壁面に吸収剤の形がスケールとして明確に残った場合は×評価、全く痕跡が無いか、極くわずかにあるものは○評価、痕跡が薄く残った場合△評価とした
キャニスターへの付着評価：同様に使用後に二酸化炭素吸収剤を別容器に一気に移し、キャニスター壁面の４分の１面以上に吸収剤粒子が付着して残っていれば×評価、壁面に付着が見られない場合、または極くわずかに付着していても２，３度軽く叩く程度で落ちる時は○評価、その中間で少し付着が残れば△とした。
この評価は３名以上の立ち会いで実施しランク付けした。
【００３１】
キャニスター底網からのこぼれに関しては、１弁１．５〜２．５ｍｍ直径の３弁花型であり、製品化時に３．３ｍｍ目開き篩で分級し、目こぼれのない大きさに仕上げ、その大きさでも二酸化炭素吸収性が良好であることを詳述結果で確認できた。
【図面の簡単な説明】
【００３２】
【図１】図１は、本発明に係る二酸化炭素吸収剤の一つの実施の形態を示す斜視図である。
【図２】図２は、図１の二酸化炭素吸収剤の横断面図である。
【図３】図３は、図１の二酸化炭素吸収剤の正面図である。
【図１】
2010155209.tif 000004
【図２】
2010155209.tif 000005
【図３】
2010155209.tif 000006